(57)【要約】【課題】商品価値を高めるための配送伝票作成システム及びこれに用いられる包装紙を提供する。【解決手段】包装紙には、贈答品の販売者を識別するための模様が表示されている。包装紙の模様の上にはシート部材を介して、配送伝票の各控え伝票部が個別に剥離可能に貼付されている。配送伝票作成サーバ２０の制御部２１は、注文管理レコード毎に包装紙を特定し、印刷データの生成処理を実行する。この処理において、制御部２１は、注文管理レコードの届け先情報及び送り主情報を用いて配送伝票印刷データを生成し、これを含む印刷データを出荷拠点端末３０に送信する。出荷拠点端末３０は、印刷装置３１に、受信した印刷データに基づいて包装紙に印刷する。この包装紙を商品に貼付した状態で配送が行なわれると、この配送途中で各控え伝票部が順次、剥離されて、シート部材の下の模様がすべて露出された状態で、商品が届け先に渡される。【選択図】図１
2012033074.tif 000002
【特許請求の範囲】
【請求項１】
商品識別子と、この商品の届け先情報と送り主情報と、この商品を販売した販売者識別子とを関連付けた配送依頼情報を記憶した配送依頼記憶手段と、
商品識別子に関連付けて、この商品の発送に用いる配送伝票を印刷するための印刷データを送信する印刷指示先を記憶した印刷先記憶手段と、
商品の販売者の包装模様が付された用紙上に透明な接着層を介して剥離可能に接着された配送伝票に、配送依頼情報の印刷を行なう印刷データを生成する制御手段とを備えた配送伝票作成システムであって、
前記制御手段は、
前記配送依頼記憶手段に記憶された販売者に応じた包装模様の用紙上の配送伝票に、前記配送依頼記憶手段に記憶された商品の届け先情報及び送り主情報を印刷するための配送伝票印刷データを含む印刷データを生成する印刷データ生成手段と、
商品に対応する印刷指示先を前記印刷先記憶手段から特定し、この印刷指示先に対して、生成した印刷データを送信する手段とを備えたことを特徴とする配送伝票作成システム。
【請求項２】
前記包装模様が付された用紙には、表書きを印刷する無地の掛け紙領域と、前記表書きの下方に、送り主の名前を印刷する送り主名表示領域とが設けられており、
前記配送依頼情報には、前記商品に付与する掛け紙の種類を特定する掛け紙種別識別子が更に含まれており、
前記制御手段は、各掛け紙種別識別子に対応する掛け紙画像データを記憶しており、
前記印刷データ生成手段は、
送り主の名前を前記送り主名表示領域に印刷する伝票印刷データを生成し、
前記配送依頼情報の掛け紙識別子に対応する掛け紙画像データを特定し、
前記伝票印刷データと前記掛け紙画像データとを含む印刷データを生成することを特徴とする請求項１に記載の配送伝票作成システム。
【請求項３】
前記制御手段は、前記掛け紙領域に印刷する前記販売者毎の包装模様で構成される置換模様画像データを記憶しており、
前記印刷データ生成手段は、
前記配送依頼情報の掛け紙識別子が包装紙不要を意味する識別子の場合には、この配送依頼情報の販売者に対応する置換模様画像データを特定し、
前記掛け紙画像データの代わりに、特定した置換模様画像データを用いて、前記印刷データを生成することを特徴とする請求項２に記載の配送伝票作成システム。
【請求項４】
商品の販売者の包装模様が付された用紙からなる包装紙であって、
前記用紙上に、透明な接着層を介して剥離可能に接着された配送伝票が設けられており、
前記配送伝票が剥離された場合には、前記透明な接着層を介して、この配送伝票の下に配置されていた包装模様が露出されるように構成したことを特徴とする包装紙。
【請求項５】
表書きを印刷する掛け紙領域と、
この掛け紙領域の下に、この包装紙によって包装される商品の送り主の名前を印刷する送り主名表示領域とが更に設けられており、
この送り主名表示領域を、前記配送伝票の他の部分の剥離とは別に残存可能に構成したことを特徴とする請求項４に記載の包装紙。
【発明の詳細な説明】
【技術分野】
【０００１】
本発明は、贈答品を配送するための配送伝票を作成する配送伝票作成システム及びこれに用いられる包装紙に関する。
【背景技術】
【０００２】
従来から、贈答品を相手に渡す場合、商品を包装することが多い。また、中元や歳暮などのように、多くの商品を遠隔地の相手に送る場合には、商品の販売者に商品の配送を依頼して、商品の出荷拠点から直接、届け先に配送してもらうことがある。この商品の配送においては、包装した商品に配送伝票を貼付する作業が必要になる。そこで、配送のための作業軽減のために、配送伝票を一体形成した包装紙が考えられている（例えば特許文献１参照）。特許文献１には、配送伝票及び掛け紙が一体形成された包装紙が開示されている。
【先行技術文献】
【特許文献】
【０００３】
【特許文献１】特開２００３−２３７８２４号公報（第１頁、図１）
【発明の概要】
【発明が解決しようとする課題】
【０００４】
包装は、商品の内容が外部から見えないようにしたり、装飾したりすることを目的としている。更に、商品には、商品の生産者ではなく、商品の販売者を表象する模様が付された包装紙を用いることがある。この場合、包装によって表象される販売者の信頼性により、商品の価値を更に高めることができる。商品を配送する場合、配送伝票を添付する必要があり、この配送伝票は包装の上面に貼付されることが多い。ここで、相手に届けるときには、商品の価値を高める包装を前面に出すことが望ましい。
【０００５】
本発明は、上記課題を解決するためになされたものであり、商品価値を高めるための配送伝票作成システム及びこれに用いられる包装紙を提供することにある。
【課題を解決するための手段】
【０００６】
上記問題点を解決するために、請求項１に記載の発明は、商品識別子と、この商品の届け先情報と送り主情報と、この商品を販売した販売者識別子とを関連付けた配送依頼情報を記憶した配送依頼記憶手段と、商品識別子に関連付けて、この商品の発送に用いる配送伝票を印刷するための印刷データを送信する印刷指示先を記憶した印刷先記憶手段と、商品の販売者の包装模様が付された用紙上に透明な接着層を介して剥離可能に接着された配送伝票に、配送依頼情報の印刷を行なう印刷データを生成する制御手段とを備えた配送伝票作成システムであって、前記制御手段は、前記配送依頼記憶手段に記憶された販売者に応じた包装模様の用紙上の配送伝票に、前記配送依頼記憶手段に記憶された商品の届け先情報及び送り主情報を印刷するための配送伝票印刷データを含む印刷データを生成する印刷データ生成手段と、商品に対応する印刷指示先を前記印刷先記憶手段から特定し、この印刷指示先に対して、生成した印刷データを送信する手段とを備えたことを要旨とする。
【０００７】
請求項２に記載の発明は、請求項１に記載の配送伝票作成システムにおいて、前記包装模様が付された用紙には、表書きを印刷する無地の掛け紙領域と、前記表書きの下方に、送り主の名前を印刷する送り主名表示領域とが設けられており、前記配送依頼情報には、前記商品に付与する掛け紙の種類を特定する掛け紙種別識別子が更に含まれており、前記制御手段は、各掛け紙種別識別子に対応する掛け紙画像データを記憶しており、前記印刷
データ生成手段は、送り主の名前を前記送り主名表示領域に印刷する伝票印刷データを生成し、前記配送依頼情報の掛け紙識別子に対応する掛け紙画像データを特定し、前記伝票印刷データと前記掛け紙画像データとを含む印刷データを生成することを要旨とする。
【０００８】
請求項３に記載の発明は、請求項２に記載の配送伝票作成システムにおいて、前記制御手段は、前記掛け紙領域に印刷する前記販売者毎の包装模様で構成される置換模様画像データを記憶しており、前記印刷データ生成手段は、前記配送依頼情報の掛け紙識別子が包装紙不要を意味する識別子の場合には、この配送依頼情報の販売者に対応する置換模様画像データを特定し、前記掛け紙画像データの代わりに、特定した置換模様画像データを用いて、前記印刷データを生成することを要旨とする。
【０００９】
請求項４に記載の発明は、商品の販売者の包装模様が付された用紙からなる包装紙であって、前記用紙上に、透明な接着層を介して剥離可能に接着された配送伝票が設けられており、前記配送伝票が剥離された場合には、前記透明な接着層を介して、この配送伝票の下に配置されていた包装模様が露出されるように構成したことを要旨とする。
【００１０】
請求項５に記載の発明は、請求項４に記載の包装紙において、表書きを印刷する掛け紙領域と、この掛け紙領域の下に、この包装紙によって包装される商品の送り主の名前を印刷する送り主名表示領域とが更に設けられており、この送り主名表示領域を、前記配送伝票の他の部分の剥離とは別に残存可能に構成したことを要旨とする。
【００１１】
（作用）
本発明によれば、制御手段は、配送依頼記憶手段に記憶された販売者に応じた包装模様の用紙上の配送伝票に、前記配送依頼記憶手段に記憶された商品の届け先情報及び送り主情報を印刷するための配送伝票印刷データを含む印刷データを生成する。制御手段は、商品に対応する印刷指示先を印刷先記憶手段から特定し、この印刷指示先に対して、生成した印刷データを送信する。このため、配送伝票が一体化された包装紙を用いて商品を包装するため、包装の作業を軽減できる。更に、届け先に渡す際には配送伝票が剥離されて、この配送伝票の下の模様が露出するので、配送伝票が前面に一体化された包装紙であっても、商品の価値を高めることができる。
【００１２】
本発明によれば、制御手段は、送り主の名前を前記送り主名表示領域に印刷する伝票印刷データを生成し、前記配送依頼情報の掛け紙識別子に対応する掛け紙画像データを特定し、前記伝票印刷データと前記掛け紙画像データとを含む印刷データを生成する。このため、包装紙の配送伝票とともに掛け紙の表書き等も一緒に印刷することができる。更に、表書きの下に印刷した送り主の名前を残した掛け紙を付した状態で、商品が届けられるので、送り主の希望に沿った表書きで、かつ送り主が届け先に手渡すときのフォーマットで商品を届けることができる。
【００１３】
本発明によれば、制御手段は、配送依頼情報の掛け紙識別子が包装紙不要を意味する識別子の場合には、この配送依頼情報の販売者に対応する置換模様画像データを特定し、
前記掛け紙画像データの代わりに、特定した置換模様画像データを用いて、前記印刷データを生成する。このため、掛け紙が不要の場合には、掛け紙領域に、包装模様の画像が印刷される。従って、商品の出荷拠点では、掛け紙領域がない全面が販売者の包装模様で構成された包装紙を準備しなくても、届け先に商品を届ける場合には、包装模様が全面に施され包装紙で商品を包装することができる。よって、出荷拠点で準備する包装紙の種類を少なくすることができる。
【００１４】
本発明によれば、商品の販売者の包装模様が付された用紙からなる包装紙であって、用紙上に、透明な接着層を介して剥離可能に接着された配送伝票が設けられており、配送伝
票が剥離された場合には、透明な接着層を介して、この配送伝票の下に配置されていた包装模様が露出される。このため、届け先に商品を渡す際に、配送伝票がすべて剥離された場合には、配送伝票の下に位置する包装模様が露出された状態となる。従って、商品価値を高めることができる。
【００１５】
本発明によれば、表書きを印刷する掛け紙領域と、この掛け紙領域の下に、この包装紙によって包装される商品の送り主の名前を印刷する送り主名表示領域とが更に設けられており、この送り主名表示領域を、前記配送伝票の他の部分の剥離とは別に残存可能に構成した。このため、表書きの下に印刷した送り主の名前を残した掛け紙を付した状態で、商品届けることができる。従って、送り主の希望に沿った表書きで、かつ送り主が届け先に手渡すときのフォーマットで商品を届けることができる。
【発明の効果】
【００１６】
本発明によれば、包装の作業を軽減できるとともに、包装された商品の価値を高めることができる。
【図面の簡単な説明】
【００１７】
【図１】第１実施形態の配送伝票作成システムの構成を説明する概略構成図。
【図２】第１実施形態の配送伝票作成システムの各データ記憶部のデータ構成を説明する図であり、（ａ）は商品データ記憶部、（ｂ）は注文管理データ記憶部。
【図３】第１実施形態の配送伝票作成処理の処理手順を説明するための流れ図。
【図４】第１実施形態で用いる包装紙の構成を図であり、（ａ）は配送帳票を印刷する前の状態、（ｂ）は印刷した後の状態を示す。
【図５】第１実施形態で用いる包装紙の構成を図であり、（ａ）は配送帳票を印刷した後の状態、（ｂ）は包装紙によって包装された商品が受け付けられて差出人控えが剥離された状態、（ｃ）は商品が届け先に引き渡された状態を示す。
【図６】第２実施形態で用いる包装紙の構成を図であり、（ａ）は配送帳票を印刷する前の状態、（ｂ）は印刷した後の状態を示す。
【図７】第２実施形態で用いる包装紙の構成を図であり、（ａ）は配送帳票を印刷した後の状態、（ｂ）は包装紙によって包装された商品が受け付けられて差出人控えが剥離された状態、（ｃ）は商品が届け先に引き渡された状態を示す。
【図８】変更例における包装紙を示すための説明図であり、（ａ）〜（ｃ）は配送伝票の配置を変更した包装紙、（ｄ）はシート部材を全面に設けた包装紙、（ｅ）は包装模様も印刷する前の包装紙、（ｆ）は包装模様を印刷した後の包装紙、（ｇ）は包装模様の裏面に印刷をした包装紙をそれぞれ示す。
【発明を実施するための形態】
【００１８】
（第１実施形態）
以下、本発明を具体化した第１実施形態を図１〜図５に基づいて説明する。本実施形態では、贈答品として送られる商品の配送伝票の印刷を管理する配送伝票作成システムとして説明する。本実施形態の配送伝票作成システムは、包装紙に一体形成された配送伝票に対して印刷指示を行なう。
【００１９】
（包装紙の構成）
まず、配送伝票が一体形成された包装紙５０ついて、図４を用いて説明する。
本実施形態の包装紙５０は、図４（ａ）に示すように、横長の長方形状の包装用紙である。包装紙５０には、包装用紙の中央の上部に、白無地の掛け紙領域５２が形成されている。掛け紙領域５２は、包装紙５０で商品を包装した場合に、商品の上面に配置される。この掛け紙領域５２には、贈答品の表書き（「お中元」等の贈答品の目的を示す文字）が印刷される。包装紙５０は、この掛け紙領域５２以外の部分には、贈答品の販売者（例え
ば百貨店等の小売店）を表象するための模様（包装模様）が表示されている。
【００２０】
この包装紙５０は、掛け紙領域５２の下部に、透明なシート部材５５が形成されている。このシート部材５５は、配送伝票５６の接着面が剥離可能に接着する材料で構成されており、包装用紙の上に貼付されている。なお、本実施形態のシート部材５５が、接着層として機能する。
【００２１】
配送伝票５６は、差出人控え伝票部５６ａ、受付拠点控え伝票部５６ｂ及び配達拠点控え伝票部５６ｃが構成されている。各控え伝票部（５６ａ〜５６ｃ）は、それぞれ個別に、シート部材５５に対して剥離可能に貼付されている。更に、各控え伝票部（５６ａ〜５６ｃ）の１つの角部（図の左下の角部）は、三角形状の切り欠きが形成されている。また、配達拠点控え伝票部５６ｃには、届け先において押印やサインのための受領欄が設けられている。
【００２２】
このような構成の包装紙５０は、後述する印刷装置３１を用いて印刷を行なう。本実施形態の包装紙５０は、図４（ｂ）に示すように、掛け紙領域５２には、贈答品の表書きが印刷される。更に、表書きに対応して熨斗（飾り）が必要な場合には、掛け紙領域５２において、熨斗の画像も印刷される。なお、表書きが不要な場合には、この掛け紙領域５２において、包装紙と同じパターンの模様が印刷される。また、包装紙５０の各控え伝票部（５６ａ〜５６ｃ）には、届け先情報や送り主情報等が印字される。
【００２３】
（配送伝票作成システムの構成）
次に、配送伝票作成システムの配送伝票作成サーバ２０の構成について、図１及び図２を用いて説明する。
【００２４】
図１に示すように、配送伝票作成サーバ２０は、インターネット等のネットワークを介して、発注端末１０及び複数の出荷拠点端末３０に接続されている。
発注端末１０は、本実施形態では、販売者の販売拠点において、顧客の注文に応じて、商品の発送についての発注依頼を行なうために用いるコンピュータ端末である。この発注端末１０は、ディスプレイ等の表示手段と、キーボードやポインティングデバイス等の入力手段を備えている。表示手段は、発注入力画面を表示する。入力手段は、この発注入力画面への発注情報の入力や、配送伝票作成サーバ２０への送信指示等を行なうために用いる。この発注端末１０は、発注情報に用いるための商品リスト及び掛け紙リストに関するデータを記憶している。商品リストには、販売する商品の商品識別子に対応して商品名が関連付けられて記憶されている。掛け紙リストには、掛け紙の表書きの内容や熨斗の有無と、掛け紙種別識別子とが関連付けられて記憶されている。
【００２５】
出荷拠点端末３０は、贈答品となる各商品を出荷する出荷拠点に設置されたコンピュータ端末であり、印刷装置３１に接続されている。出荷拠点端末３０は、配送伝票作成サーバ２０から出荷依頼リストと、印刷装置３１で配送伝票５６を印刷するための印刷データとを受信する。出荷拠点端末３０は、ディスプレイ等の表示手段と、キーボードやポインティングデバイス等の入力手段を備えている。表示手段は、出荷依頼リストや印刷実行ボタンを表示する。入力手段は、印刷装置３１の印刷実行の指示等を行なうために用いる。出荷拠点端末３０は、印刷実行指示に応じて印刷データを印刷装置３１に送信し、印刷装置３１に印刷を実行させる。
【００２６】
配送伝票作成サーバ２０は、制御部２１、商品データ記憶部２２及び注文管理データ記憶部２３を備えている。制御部２１は制御手段として機能し、注文管理データ記憶部２３は配送依頼記憶手段として機能する。
【００２７】
制御部２１は、図示しないＣＰＵ、ＲＡＭ及びＲＯＭ等を有し、後述する処理を行なう。そして、このための配送伝票作成プログラムを実行することにより、制御部２１は、注文情報管理手段２１１及び印刷指示手段２１２等として機能する。
【００２８】
注文情報管理手段２１１は、発注端末１０から受信した注文情報を注文管理データ記憶部２３に記録して管理を行なう。注文情報管理手段２１１は、発注端末１０の端末識別子と、この発注端末１０を用いる販売者を特定する販売者識別子とが関連付けられた発注者特定テーブルを記憶している。
【００２９】
印刷指示手段２１２は、包装紙特定手段及び印刷データ生成手段として機能する。具体的には、印刷指示手段２１２は、印刷装置３１で印刷する包装紙５０の印刷データを生成し、出荷拠点端末３０に送信する。この印刷指示手段２１２は、印刷先記憶手段として機能し、出荷拠点識別子と、印刷データの送り先（例えば、出荷拠点端末３０のＩＰアドレス等）とが関連付けられた印刷指示先テーブルを記憶している。また、印刷指示手段２１２は、包装紙サイズと販売者識別子とに対応する包装紙識別子を記憶している。この包装紙識別子を用いることにより、包装紙サイズと販売者とを特定することができる。
【００３０】
更に、この印刷指示手段２１２は、後述する掛け紙種別識別子のそれぞれに対応する掛け紙画像データを記憶している。掛け紙画像には、掛け紙の表書きに表示される文字画像が含まれる。更に、この掛け紙画像には、表書きの内容に応じて、熨斗を示す熨斗画像が含まれる。
【００３１】
また、印刷指示手段２１２は、包装紙の掛け紙領域５２に印刷する販売者識別子毎の模様画像（置換模様画像）を記憶している。掛け紙種別識別子が「掛け紙不要」を意味する識別子の場合に、印刷指示手段２１２は、置換模様画像を用いて、掛け紙領域５２に、包装紙の模様を印刷するためのデータを作成する。
【００３２】
一方、商品データ記憶部２２には、図２（ａ）に示すように、商品に関する商品レコード２２０が記憶されている。この商品レコード２２０は、配送伝票作成サーバ２０に新たな商品が登録された場合に記録される。商品レコード２２０は、商品識別子、商品名、包装紙サイズ及び出荷拠点識別子に関するデータが含まれる。
【００３３】
商品識別子データ領域には、各商品を特定するための識別子（商品識別子）に関するデータが記録されている。
商品名データ領域には、この商品の名称に関するデータが記録されている。
【００３４】
包装紙サイズデータ領域には、この商品を包装するために用いる包装紙の大きさに関するデータが記録されている。
出荷拠点識別子データ領域には、この商品を出荷する拠点を特定するための識別子（出荷拠点識別子）に関するデータが記録されている。
【００３５】
注文管理データ記憶部２３には、図２（ｂ）に示すように、注文管理レコード２３０が記憶されている。この注文管理レコード２３０は、発注端末１０からの発注情報を取得した場合に記録される。注文管理レコード２３０は、注文管理識別子、商品識別子、届け先情報、送り主情報、掛け紙種別識別子、販売者識別子、出荷拠点識別子、発注受付日時及び印刷指示日時に関するデータが含まれる。
【００３６】
注文管理識別子データ領域には、各注文を特定するための識別子（注文識別子）に関するデータが記録される。
商品識別子データ領域には、注文された商品を特定するための商品識別子に関するデー
タが記録される。
【００３７】
届け先情報データ領域には、注文された商品の届け先（宛先）に関するデータが記録される。本実施形態では、この届け先データ領域には、この商品を受け取る受取人の住所、氏名、郵便番号及び電話番号等が記録される。
【００３８】
送り主情報データ領域には、商品の発注を依頼した送り主に関するデータが記録される。本実施形態では、このデータ領域には、送り主の住所、氏名、郵便番号及び電話番号等が記録される。
【００３９】
掛け紙種別識別子データ領域には、この商品の包装に付与する掛け紙の種類を特定するための識別子（掛け紙種別識別子）に関するデータが記録される。掛け紙が不要の場合には、掛け紙不要を示す掛け紙不要フラグが記録される。
【００４０】
販売者識別子データ領域には、この商品を販売した販売者を特定するための識別子（販売者識別子）に関するデータが記録される。
出荷拠点識別子データ領域には、この商品の出荷拠点を特定する出荷拠点識別子に関するデータが記録される。
【００４１】
発注受付日時データ領域には、発注端末１０から発注情報を受信した年月日及び時刻に関するデータが記録される。
印刷指示日時データ領域には、出荷拠点端末３０に印刷データを送信して印刷指示を行なった年月日及び時刻に関するデータが記録される。
【００４２】
次に、以上のように構成された配送伝票作成システムを用いて行なわれる処理について、図３に従って説明する。なお、出荷拠点には、各販売者を表象する模様が付された複数種類の包装紙５０が、包装紙サイズ毎に準備されている。
【００４３】
商品の注文を受けた販売者の店員は、発注端末１０のディスプレイに発注情報入力画面を表示させる。この発注情報入力画面には、発注する商品の商品名、届け先情報、送り主情報、掛け紙の有無や熨斗を付す場合の表書きの内容等を入力する入力欄と送信ボタンとが含まれる。店員は、発注情報を入力した後、送信ボタンを選択する。
【００４４】
この場合、発注端末１０は、発注情報入力画面の商品名に対応する商品識別子を、商品リストデータを用いて特定する。また、発注端末１０は、掛け紙の内容に対応する掛け紙種別識別子を、掛け紙リストデータを用いて特定する。発注端末１０は、特定した商品識別子及び掛け紙識別子と、届け先情報と、送り主情報とを含む発注情報を、配送伝票作成サーバ２０に送信する。この発注情報には、発注端末１０の端末識別子を含める。
【００４５】
発注端末１０から発注情報を受信した配送伝票作成サーバ２０の制御部２１は、注文情報の記録処理を実行する（ステップＳ１−１）。具体的には、制御部２１の注文情報管理手段２１１は、受信した発注情報に対して注文管理識別子を付与し、これを含む注文管理レコード２３０を生成して、注文管理データ記憶部２３に記録する。この注文管理レコード２３０には、注文管理識別子、注文情報の商品識別子、届け先情報、送り主情報及び掛け紙種別識別子と、現在の年月日及び時刻とを含める。更に、注文情報管理手段２１１は、注文情報に含まれる端末識別子に対応する販売者識別子を、発注者特定テーブルを用いて特定し、この注文管理レコード２３０に記録する。注文情報管理手段２１１は、注文管理レコード２３０の商品識別子が記録された商品レコード２２０を商品データ記憶部２２において特定し、この商品レコード２２０の出荷拠点識別子を取得して、この注文管理レコード２３０に記録する。
【００４６】
（配送伝票作成処理）
配送伝票作成サーバ２０は、配送伝票作成処理を実行する。この配送伝票作成処理は、予め定められた所定の時刻になった場合に定期的に実行される。
【００４７】
まず、この配送伝票作成処理において、配送伝票作成サーバ２０の制御部２１は、印刷指示をしていない印刷装置３１の出荷拠点毎の注文管理レコード２３０を特定する。具体的には、制御部２１の印刷指示手段２１２は、印刷指示日時が記録されていない注文管理レコード２３０の１つを注文管理データ記憶部２３から抽出する。そして、印刷指示手段２１２は、この注文管理レコード２３０の出荷拠点識別子毎に以下の処理を実行する。
【００４８】
ここで、印刷指示手段２１２は、同じ出荷拠点識別子が記録され印刷指示日時が記録されていない注文管理レコード２３０のうち処理対象となる注文管理レコード２３０を順次、特定し、以下のステップＳ２−１，Ｓ２−２の処理を繰り返して実行する。
【００４９】
まず、配送伝票作成サーバ２０の制御部２１は、包装紙の特定処理を実行する（ステップＳ２−１）。具体的には、制御部２１の印刷指示手段２１２は、特定した処理対象の注文管理レコード２３０の商品識別子が記録された商品レコード２２０を商品データ記憶部２２から抽出する。印刷指示手段２１２は、この商品レコード２２０に記録された包装紙サイズと販売者識別子とに対応する包装紙識別子を特定する。
【００５０】
次に、配送伝票作成サーバ２０の制御部２１は、印刷データの生成処理を実行する（ステップＳ２−２）。具体的には、制御部２１の印刷指示手段２１２は、この注文管理レコード２３０の届け先情報及び送り主情報を用いて、配送伝票５６に記載する形式の配送伝票印刷データを生成する。
【００５１】
更に、印刷指示手段２１２は、掛け紙領域５２に印刷する画像を取得する。具体的には、印刷指示手段２１２は、この注文管理レコード２３０の掛け紙種別識別子に応じた掛け紙画像データを取得する。ただし、この掛け紙種別識別子データ領域に掛け紙不要フラグが記録されている場合には、印刷指示手段２１２は、この注文管理レコード２３０の販売者識別子に対応する置換模様画像データを取得する。そして、印刷指示手段２１２は、生成した配送伝票印刷データと、掛け紙画像データ又は置換模様画像データと含む印刷データを生成する。そして、印刷指示手段２１２は、生成した印刷データに、注文管理識別子及び包装紙識別子を含める。
【００５２】
処理対象の注文管理レコード２３０についての印刷データの生成処理が完了した場合には、制御部２１の印刷指示手段２１２は、同じ出荷拠点識別子が記録され未処理の注文管理レコード２３０についてステップＳ２−１，Ｓ２−２の処理を実行する。
【００５３】
そして、同じ出荷拠点識別子が記録され印刷指示日時が記録されていない注文管理レコード２３０のすべてについてステップＳ２−１，Ｓ２−２の処理が完了した場合には、配送伝票作成サーバ２０の制御部２１は、出荷拠点端末への印刷指示処理を実行する（ステップＳ２−３）。具体的には、制御部２１の印刷指示手段２１２は、印刷データを生成した注文管理レコード２３０の注文管理識別子、商品識別子、届け先情報、送り主情報、販売者識別子と包装紙識別子とを各欄に並べた出荷依頼リストを生成する。更に、この出荷依頼リストの各欄には、各注文管理識別子に対応させた印刷実行ボタンを設ける。
【００５４】
次に、印刷指示手段２１２は、この出荷拠点識別子に対応する印刷指示先（出荷拠点端末３０）を特定し、この印刷指示先に対して、出荷依頼リスト及び印刷データを送信する。そして、印刷指示手段２１２は、出荷依頼リストに含まれる注文管理識別子が記録され
た注文管理レコード２３０の印刷指示日時データ領域に現在日時を記録する。
【００５５】
一方、出荷依頼リスト及び印刷データを受信した出荷拠点端末３０は、出荷拠点における作業者の指示に応じて、印刷リスト表示画面をディスプレイに表示する。この印刷リスト表示画面には、出荷依頼リストが含まれる。
【００５６】
作業者は、出荷依頼リストの各注文管理識別子に関連付けられた包装紙識別子に対応する包装紙５０を１枚ずつ印刷装置３１に供給する。そして、作業者は、この注文管理識別子に対応する印刷実行ボタンを選択する。この場合、出荷拠点端末３０は、出荷依頼リストにおいて選択された注文管理識別子の印刷データを印刷装置３１に供給し、印刷装置３１に包装紙５０の掛け紙領域５２及び配送伝票５６に印刷を実行させる。これにより、図４（ｂ）に示すように、販売者毎の包装紙５０には、上述した掛け紙領域５２に掛け紙画像（図では「お中元」の文字と熨斗）が印刷され、配送伝票５６の各控え伝票部（５６ａ〜５６ｃ）に、届け先情報及び送り主情報が印字される。
【００５７】
（包装紙５０の使用方法）
次に、印刷された包装紙５０の使用方法について、図５を用いて説明する。
印刷された包装紙５０は、図５（ａ）に示すように、シート部材５５には各控え伝票部（５６ａ〜５６ｃ）が貼付されている。出荷拠点の作業者は、この包装紙５０の両端を商品に固定することにより、商品の包装を行なう。
【００５８】
そして、作業者は、包装紙５０で包装した商品の配送を配送者に依頼する。配送者の作業者は、商品の配送を受け付ける場合、包装紙５０の差出人控え伝票部５６ａを、シート部材５５から剥離して、出荷拠点の作業者に渡す。この場合、差出人控え伝票部５６ａが剥離されたので、図５（ｂ）に示すように、差出人控え伝票部５６ａの下側の模様が露出することになる。
【００５９】
次に、集荷拠点においては、届け先の住所の配達を管轄する配達拠点へ商品を発送する前に、受付拠点控え伝票部５６ｂをシート部材５５から剥離する。この場合にも、受付拠点控え伝票部５６ｂが剥離されたことにより、この位置の包装紙５０の模様が露出する。
【００６０】
そして、商品が配達拠点に到着し、この配達拠点から届け先に配達される。この場合、配達作業員は、届け先において、配達拠点控え伝票部５６ｃをシート部材５５から剥離する。これにより、図５（ｃ）に示すように、シート部材５５の下の模様がすべて露出された状態になる。そして、配達作業員は、商品を届け先に引き渡す。商品の受取人は、図５（ｃ）に示すように、表書きが表示され包装紙に包まれた商品を受け取る。
【００６１】
なお、配達作業員は、商品を渡した際に、この配達拠点控え伝票部５６ｃの受領欄に押印やサインをもらい、配達拠点に持ち帰って保管する。
本実施形態によれば、以下のような効果を得ることができる。
【００６２】
（１）  本実施形態の包装紙５０には、贈答品の販売者を表象するための模様が表示されている。包装紙５０の模様の上にはシート部材５５を介して、配送伝票５６の各控え伝票部（５６ａ〜５６ｃ）が個別に剥離可能に貼付されている。配送伝票作成サーバ２０の制御部２１は、注文管理レコード２３０毎に包装紙を特定し、印刷データの生成処理を実行する。この印刷データの生成処理において、制御部２１は、注文管理レコード２３０の届け先情報及び送り主情報を用いて配送伝票５６に記載する形式の配送伝票印刷データを生成し、これを含む印刷データを出荷拠点端末３０に送信する。出荷拠点端末３０は、印刷装置３１に、受信した印刷データに基づいて包装紙５０に印刷する。このため、配送伝票５６が一体化された包装紙５０を用いて商品を包装することができるので、包装の作業
を軽減できる。
【００６３】
その後、この包装紙５０を商品に貼付した状態で配送が行なわれると、この配送途中で各控え伝票部（５６ａ〜５６ｃ）が順次、剥離されて、シート部材５５の下の模様がすべて露出された状態で、商品が届け先に渡される。このため、届け先に渡す際には各控え伝票部（５６ａ〜５６ｃ）が剥離されて、これら各控え伝票部（５６ａ〜５６ｃ）の下の模様が露出するので、配送伝票が一体化された包装紙であっても、商品の価値を高めることができる。
【００６４】
（２）  本実施形態の包装紙５０の掛け紙領域５２は、包装紙５０で商品を包装した場合に、商品の上面に配置される。更に、掛け紙領域５２の下部に、配送伝票５６が配置されている。従って、包装紙５０で商品を包装した場合には、配送伝票５６は商品の上面に配置される。このため、商品の上面にある配送伝票５６を見ながら配送作業を行なうことができるので、配送作業を効率よく行なうことができる。
【００６５】
（３）  本実施形態の包装紙５０には、白無地の掛け紙領域５２が形成されている。配送伝票作成サーバ２０の制御部２１は、注文管理レコード２３０の掛け紙不要フラグが記録されている場合には、この注文管理レコード２３０の販売者識別子に対応する置換模様画像データを取得する。制御部２１は、生成した配送伝票印刷データと、掛け紙画像データ又は置換模様画像データと含む印刷データを生成して、出荷拠点端末３０に送信する。この印刷データを用いて印刷装置３１は、包装紙５０の掛け紙領域５２に印刷を行なう。このため、掛け紙が不要の場合には、包装紙５０の掛け紙領域５２には、包装模様が印刷される。従って、商品の出荷拠点では、掛け紙領域５２がない包装紙５０を準備しなくても、全面が包装模様で構成された包装紙を生成することができるので、出荷拠点で準備する包装紙の種類を少なくすることができる。
【００６６】
（第２実施形態）
次に、本発明を具体化した第２実施形態を図６及び図７に基づいて説明する。実施形態において、上記実施形態と同様な部分については、同一の符号を付し、その詳細な説明は省略する。本実施形態においては、包装紙６０の構成が上記第１実施形態の包装紙５０と異なる。更に、本実施形態においては、上記第１実施形態における印刷データの生成処理の内容が異なる。
【００６７】
（包装紙の構成）
まず、本実施形態の包装紙６０について、図６を用いて説明する。
本実施形態の包装紙６０は、図６（ａ）に示すように、中央に、贈答品の表書きを記載する白無地の掛け紙領域６２が形成されている。この掛け紙領域６２は、シート部材５５の下端部まで形成されている。包装紙６０は、この掛け紙領域６２以外の部分には、贈答品の販売者に応じた模様が表示されている。
【００６８】
この包装紙６０には、第１実施形態のシート部材５５と同様なシート部材６５が形成されている。シート部材６５は、接着層として機能し、後述する配送伝票６６が貼付される。本実施形態のシート部材６５は、後述する送り主名表示領域６７の中心が掛け紙領域６２の中心と一致するように、第１実施形態のシート部材５５よりも片側に寄った位置に配置されている。
【００６９】
配送伝票６６は、第１実施形態の配送伝票５６と同様に、差出人控え伝票部６６ａ、受付拠点控え伝票部６６ｂ及び配達拠点控え伝票部６６ｃから構成されており、各控え伝票部（６６ａ〜６６ｃ）は、それぞれ個別に、シート部材６５に剥離可能に貼付されている。
【００７０】
本実施形態の配送伝票６６は、第１実施形態の配送伝票５６と異なり、配達拠点控え伝票部６６ｃが、掛け紙領域６２と一致する位置に配置されるように包装紙６０に設けられている。この配達拠点控え伝票部６６ｃには、掛け紙領域６２の中央に位置するように、送り主名表示領域６７が形成されている。この送り主名表示領域６７は、配送拠点控え伝票部６６ｃの他の部分と分離されて、この位置に残存するように構成されている。
【００７１】
（印刷データの生成処理）
ここでは、本実施形態において、第１実施形態と処理の内容が異なる印刷データの生成処理（ステップＳ２−２）について説明する。
【００７２】
この処理において、配送伝票作成サーバ２０の制御部２１は、この注文管理レコード２３０の届け先情報及び送り主情報を用いて、配送伝票６６に記載する形式の配送伝票印刷データを生成する。更に、印刷指示手段２１２は、掛け紙領域６２に印刷する画像を取得する。
【００７３】
そして、印刷指示手段２１２は、生成した帳票データと、掛け紙画像データ又は置換模様画像データとを含む印刷データを生成する。この場合、制御部２１の印刷指示手段２１２は、配達拠点控え伝票部６６ｃに表示する送り主の名前が、送り主名表示領域６７に印刷されるように印刷データを生成する。そして、印刷指示手段２１２は、生成した印刷データに、注文管理識別子及び包装紙識別子を含める。以上により、印刷データの生成処理が終了する。
【００７４】
そして、印刷装置３１は、上記第１実施形態と同様に、配送伝票作成サーバ２０から出荷拠点端末３０を介して取得した印刷データを用いて、包装紙６０の掛け紙領域６２及び配送伝票６６に印刷を行なう。これにより、図６（ｂ）及び図７（ａ）に示すように、掛け紙領域６２に掛け紙画像又は置換模様画像が表示される。更に、この掛け紙領域の表書きの文字の下方の送り主名表示領域６７には、送り主の氏名が表示される。
【００７５】
本実施形態の包装紙６０も、上記第１実施形態の包装紙５０と同様に包装される。そして、商品の配送を受け付けた場合、図７（ｂ）に示すように、包装紙６０の差出人控え伝票部６６ａをシート部材６５から剥離して、出荷拠点の作業者に渡す。集荷拠点においては、届け先の住所の配達を管轄する配達拠点へ商品を発送する前に、受付拠点控え伝票部６６ｂをシート部材６５から剥離する。
【００７６】
そして、配達作業者は、届け先においては、送り主名表示領域６７以外の配達拠点控え伝票部６６ｃをシート部材６５から剥離する。この場合、図７（ｃ）に示すように、包装紙６０に残存した送り主名表示領域６７は、表書きの下方に送り主が表示された状態で、シート部材６５の模様がすべて露出された状態になる。そして、この状態で、商品を受取人に渡す。
【００７７】
本実施形態によれば、上記（１）〜（３）の効果と同様な効果に加えて、以下のような効果を得ることができる。
（４）  本実施形態の配送伝票６６の配達拠点控え伝票部６６ｃは、掛け紙領域６２と一致する位置に配置されるように包装紙６０に設けられている。この配達拠点控え伝票部６６ｃには、掛け紙領域６２の中央に位置するように、送り主名表示領域６７が形成されている。この送り主名表示領域６７は、配送拠点控え伝票部６６ｃの他の部分と分離されて、この位置に残存するように構成されている。そして、配送伝票作成サーバ２０の制御部２１は、送り主名表示領域６７に、商品の送り主の名前を印刷する。そして、届け先においては、送り主名表示領域６７以外の配送伝票６６が剥離されるので、配送伝票６６の
下に表示された模様が露出する。更に、表書きの下に印刷した送り主の名前を残した掛け紙を付した状態で、商品が届けられるので、送り主の希望に沿った表書きで、かつ送り主が届け先に手渡すときのフォーマットで商品を届けることができる。
【００７８】
また、上記実施形態は、以下のように変更してもよい。
・  上記各実施形態においては、配送伝票５６（６６）を、包装紙５０（６０）の中央に配置した。この配送伝票の配置は、包装紙の中央に限定されない。この場合、包装する商品の形状や包装の仕方に応じて、各控え伝票部の配置を変更してもよい。例えば、図８（ａ）に示すように、包装紙７０の縁部に配送伝票７６を設けてもよい。
【００７９】
更に、包装紙９０を用いて商品を斜め包みする場合には、図８（ｂ）に示すように、包装紙９０に対して、配送伝票を構成する各控え伝票部（９６ａ，９６ｂ，９６ｃ）を斜めに設けてもよい。この場合、所定の包み方で商品を包装した場合にも、商品の正面（上面）となる位置に配送伝票を配置する。これにより、配送伝票に印刷された届け先情報が確認し易いので、配送作業を効率よく行なうことができる。
【００８０】
更に、掛け紙領域の位置は、商品を包装紙で包んだときに商品の上面となる面において、垂直に表示される位置であれば、包装紙に対してどのような位置でもよい。例えば、図８（ｂ）に示すように、包装紙９０に対して斜めに配置した掛け紙領域９２としてもよい。なお、掛け紙領域９２や配送伝票９６を斜めに配置した場合には、配送伝票作成サーバ２０の制御部２１は、掛け紙領域及び配送伝票の向きに一致するように画像及び文字の向きを変換し、変換した画像及び文字を印刷するための印刷データを生成する。これにより、商品を包装した際の文字の向きが斜めにならないので、配送伝票や掛け紙に印刷した文字が見易い状態で商品を包装することができる。
【００８１】
・  上記各実施形態においては、配送伝票５６（６６）が剥離可能に取り付けられるシート部材５５（６５）は１箇所にまとめて配置した。配置方法はこれに限られるものではなく、シート部材は、複数に分割して配置してもよい。例えば、図８（ｃ）の包装紙７１に示すように、差出人控え伝票部７６ａを貼付する第１シート部材７５ａと、受付拠点控え伝票部７６ｂ及び配達拠点控え伝票部７６ｃを貼付する第２シート部材７５ｂとに分離してもよい。この場合には、配送伝票の構成やレイアウトの自由度を増やすことができる。従って、商品の形状に応じて、より好ましい位置に配送伝票を配置することができる。
【００８２】
・  上記各実施形態においては、配送伝票５６（６６）を、差出人控え伝票部５６ａ（６６ａ）、受付拠点控え伝票部５６ｂ（６６ｂ）及び配達拠点控え伝票部５６ｃ（６６ｃ）から構成した。配送伝票の構成は、これに限定されない。例えば、差出人控え伝票部５６ａ（６６ａ）を省略してもよい。この場合には、出荷依頼リストを印刷し、これを差出人控え伝票部として代用する。また、配送伝票に宛先確認伝票部を更に設けるようにしてもよい。この宛先確認伝票部は、シート部材に剥離可能に接着されており、届け先に商品を引き渡す際にシート部材から剥離した上で、届け先に手渡す。
【００８３】
・  上記第２実施形態においては、掛け紙領域６２の位置の表書きの下方に位置する配達拠点控え伝票部６６ｃに、送り主名表示領域６７を設けた。送り主名表示領域６７の配置は、掛け紙領域の下方に位置していれば、伝票部の種類は限定されない。例えば、図８（ｃ）に示すように、送り主名表示領域７７を差出人控え伝票部７６ａに配置してもよい。
【００８４】
・  上記各実施形態においては、用紙上に透明なシート部材５５（６５）を介して配送伝票５６（６６）を設けた。このシート部材は配送伝票の下側のみに限らず、配送伝票が配置された領域以外の部分に設けてもよい。例えば、図８（ｄ）に示すように、包装模様
が表示され表面全体をシート部材５１により覆うようにしてもよい。この場合には、包装紙の模様が表示された表面全体がシート部材で覆われることになるので、包装紙の表面質感の統一感を出すことができる。この場合、掛け紙領域をシート部材で覆う場合には、このシート部材として、掛け紙画像を印刷できる材料を用いる。
【００８５】
・  上記第各実施形態では、予め準備された包装模様の包装紙５０（６０）に対して、掛け紙領域５２（６２）及び配送伝票５６（６６）に印刷を行なった。これに代えて、白い用紙に対して、掛け紙や伝票内容とともに、販売者に応じた包装模様を印刷するようにしてもよい。具体的には、図８（ｅ）に示すように、掛け紙領域８２の表書き領域以外の領域に、透明のシート部材８５を設け、このシート部材８５に、各控え伝票部８６ａ，８６ｂ，８６ｃを配置しておく。
【００８６】
そして、配送伝票作成サーバ２０の制御部２１は、販売者識別子に対応付けた包装紙の模様画像に関するデータを記憶しておく。制御部２１は、包装紙の特定処理（ステップＳ２−１）において、商品の販売者識別子に対応する模様画像データを取得する。そして、制御部２１は、印刷データの生成処理（ステップＳ２−２）において、取得した模様画像を含めて印刷データを生成する。この場合、掛け紙領域や伝票領域以外の領域に包装画像を配置する。そして、出荷拠点の印刷装置３１は、図８（ｆ）に示すように、包装紙８０の掛け紙領域８２、各控え伝票部（８６ａ，８６ｂ，８６ｃ）に対して印刷するとともに、その周囲に包装画像を印刷する。従って、各販売者の包装模様の包装紙を予め準備していない場合にも、各販売者の包装模様が表示された包装紙の配送伝票に利用することができる。
【００８７】
・  上記第各実施形態では、包装紙５０（６０）の包装模様が表示された面に印刷を行なった。これに加えて、包装紙の包装模様が表示された面の裏面に印刷を行なうようにしてもよい。例えば、裏面に斜め包みをガイドするための折目マークのラインを印刷する。具体的には、印刷装置３１として、両面印刷可能な印刷装置を用いる。更に、商品データ記憶部２２の商品レコード２２０には、この商品を斜め包みするための折目ライン画像を記憶しておく。この折目ライン画像は、図８（ｇ）に示すように、包装紙９０の模様が形成された面の裏面９０ｂに、包装する商品を最初に配置する実線ラインと、斜め包みするために折り曲げる一点鎖線ラインとを印刷するための印刷データである。そして、印刷データの生成処理（ステップＳ２−２）において、配送伝票作成サーバ２０の制御部２１は、商品識別子に対応する折目ライン画像データを商品データ記憶部２２から取得し、包装紙８０の裏面に印刷する裏面印刷データとして印刷データに含める。なお、図８（ｇ）において、実線で示すラインは、最初に商品を載置させる位置であり、一点鎖線で示すラインは、斜め包みをするために包装紙９０を折り曲げる線である。従って、この折目マークに従って、所定の包み方（ここでは斜め包み）により効率的に包装することができる。
【００８８】
・  上記実施形態の出荷拠点端末３０においては、作業者が、包装紙識別子に対応する包装紙５０を１枚ずつ印刷装置３１に供給した。これに代えて、印刷装置３１が、包装紙識別子に対応する包装紙５０を１枚ずつ自動的に選択して供給するように構成してもよい。例えば、印刷装置３１の各包装紙をそれぞれ給紙トレイに準備する。そして、出荷拠点端末３０に、各給紙トレイを特定する給紙トレイ識別子と、各給紙トレイに収容された包装紙の包装紙識別子とを関連付けた給紙トレイ管理テーブルを記憶させておく。出荷拠点端末３０が、出荷依頼リストを受信した場合、給紙トレイ管理テーブルを用いて、出荷依頼リストに記録された注文管理識別子に関連付けられている包装紙識別子に対応する給紙トレイ識別子を特定する。そして、出荷拠点端末３０は、印刷装置３１に対して、この給紙トレイ識別子に収容された包装紙を用いて、この注文管理識別子に関連付けられている印刷データを用いて印刷実行の指示を行なう。これにより、印刷装置３１が、包装紙識別子に応じた包装紙に、掛け紙画像、届け先情報及び送り主情報を自動的に印刷することが
できる。
【００８９】
・  上記実施形態においては、配送伝票作成サーバ２０の制御部２１は、包装紙の特定処理（ステップＳ２−１）において、包装紙サイズ及び販売者識別子から包装紙識別子を特定した。販売者識別子から包装紙が特定可能な場合には、販売者識別子を包装紙特定識別子として用いて、包装紙の特定処理（ステップＳ２−１）を省略してもよい。
【符号の説明】
【００９０】
１０…発注端末、２０…配送伝票作成サーバ、２１…制御部、２２…商品データ記憶部、２３…注文管理データ記憶部、３０…出荷拠点端末、３１…印刷装置、５０，６０，７０，７１，８０，９０…包装紙、５２，６２，７２，８２，９２…掛け紙領域、５５，６５，７５，７５ａ，７５ｂ，８５…シート部材、５６，６６，７６，８６，９６…配送伝票、５６ａ，５６ｂ，５６ｃ，６６ａ，６６ｂ，６６ｃ、７６ａ，７６ｂ，７６ｃ，８６ａ，８６ｂ，８６ｃ…控え伝票部、６７，７７…送り主名表示領域、９０ｂ…裏面、２１１…注文情報管理手段、２１２…印刷指示手段。
【図１】
2012033074.tif 000003
【図２】
2012033074.tif 000004
【図３】
2012033074.tif 000005
【図４】
2012033074.tif 000006
【図５】
2012033074.tif 000007
【図６】
2012033074.tif 000008
【図７】
2012033074.tif 000009
【図８】
2012033074.tif 000010